(57)【特許請求の範囲】
【請求項１】
スクリーン設置位置における上側部に取り付けたガイドレール（１０）と、そのガイドレール（１０）に吊下げ支持されたスクリーン（２０）とを備え、
上記ガイドレール（１０）は、その下面に開口してガイドレール（１０）全長に亘るガイド溝（１１）がガイドレール幅方向に複数並列に形成され、
上記スクリーン（２０）の上縁にはその全長に亘り所要間隔（Ｔ）を持ってファスナテープ片（２１）が設けられて、そのファスナテープ片（２１）はその上縁にファスナエレメントからなるライナ（２２）を有し、
上記スクリーン（２０）は、上記各ファスナテープ片（２１）のライナ（２２）が上記複数のガイド溝（１１）にそのガイド溝（１１）を適宜に異ならせて移動自在に嵌め込まれ、
上記ガイド溝（１１）の幅（ｗ）は上記ライナ（２２）が抜け出ない大きさとなっているスクリーン装置。
【請求項２】
上記ライナ（２２）は、上記ファスナテープ片（２１）の上縁部（２１ａ）に、モノフィラメント（２３）を、前記上縁部（２１ａ）の一面（２１ａ１）から突出させて上縁部（２１ａ）の他面側（２１ａ２）に折り返してその上縁部他面（２１ａ２）に至らせ、続いて、その他面（２１ａ２）側の上縁部（２１ａ）の側縁方向に所要距離（ｔ）離した後、その離した上縁部（２１ａ）の他面（２１ａ２）から突出させて上縁部（２１ａ）の一面（２１ａ１）側に折り返してその上縁部一面（２１ａ1）に至らせ、続いて、その一面（２１ａ１）側の上縁部（２１ａ）の側縁方向に所要距離（ｔ）離した後、その離した上縁部（２１ａ）の一面（２１ａ１）から突出させて上縁部（２１ａ）の他面（２１ａ２）側に折り返してその他面（２１ａ２）側の上縁部（２１ａ）に至らす態様を前記上縁部（２１ａ）の側縁方向全長に亘って繰り返し、前記ファスナテープ片（２１）の一方の上縁部（２１ａ）の全長に亘りその上縁部（２１ａ）から突出するモノフィラメント（２３）からなるファスナーの務歯状となって、そのモノフィラメント（２３）のファスナテープ片（２１）の上縁部（２１ａ）側を縫着（２４）して形成されたものである、請求項１に記載のスクリーン装置。
【請求項３】
上記ライナ（２２）の務歯状部の縦断面は先端に向かって先細りの三角形状となっており、その三角形状の底辺部が上記ガイド溝（１１）の側縁内側に係止する請求項２に記載のスクリーン装置。
【発明の詳細な説明】
【技術分野】
【０００１】
この発明は、家屋における窓部の屋内側に設置されるスクリーン装置や、出入口の開閉装置、あるいは、部屋の間仕切り装置などに使用することができるスクリーン（カーテン）装置に関する。
【背景技術】
【０００２】
室内への直射日光の差し込みを抑制したり、プライバシーが侵害されるのを防止したりする等の目的から、家屋における窓部には、普通、屋内側にスクリーン（カーテン）装置が設置される。その設置の際、従来では、特許文献１に記載されているように、窓枠の上枠にレールを取り付け、そのレールでスクリーン（カーテン）を吊下げて開閉自在としている。
【０００３】
この従来から知られているスクリーン装置においては、スクリーン生地の丈方向に延びる山折り目と谷折り目を幅方向に等間隔に設けてアコーデオン状に折り畳み可能にしたものや、複数の折り込みにより形成される複数の襞を幅方向に等間隔に設けて、それぞれの襞にフックの掛け吊り部を設けたものが用いられている。これらのスクリーン地は特殊な生地であるため、専門店で買い求める必要があり、高価であって、生地の選択肢が狭いという問題がある。
【０００４】
また、折り目や襞の形成によって広い面積の生地を必要として重量も重くなり、スムーズに開閉することができず、しかも、多数のフックを用いて掛け吊りしているため、スクリーン装置の設置やスクリーン地の取り付け、取り外しに手間がかかるという問題がある。
【先行技術文献】
【特許文献】
【０００５】
【特許文献１】特開平１１−２２５８７７号公報
【特許文献２】特開２０１６−６７８０１号公報
【発明の概要】
【発明が解決しようとする課題】
【０００６】
このため、本出願人は、スクリーン設置位置における上側部のレール取付け対象に取り付けられるガイドレールと、そのガイドレールに吊下げ支持されて開閉自在とされた複数のスクリーンとからなり、前記ガイドレールが、一対のフランジを両側に有し、その一対のフランジ間にわたるウェブの下面に、そのウェブの両端方向に延びる複数のガイド溝がウェブの幅方向に等間隔に設けられ、各ガイド溝の両側下部から内方に向けて一対のガイド突条が設けられたアルミニウムまたは樹脂を素材とする押出し成形品とされ、前記スクリーンが、フレキシブルな矩形状のシート状物からなり、そのスクリーンの上辺部に、ファスナエレメントを一側縁に有するファスナテープが取り付けられ、前記ファスナエレメントが前記ガイド溝内に挿入されて前記一対のガイド突条により抜止め状態でスライド自在に支持されたスクリーン装置を提案した（特許文献２、特許請求の範囲、図１、図２等参照）。
【０００７】
このスクリーン装置は、それなりに好評を得たが、吊り下げ構想が複雑であり、コスト的に高いものとなっており、コストダウンを要求された。また、上記の、スクリーン生地の丈方向に延びる山折り目と谷折り目を形成することなく、波状につるし得るカーテン態様を要求された。
【０００８】
この発明は、以上の状況下、安価で、波状に吊るし得るスクリーンを提供することを課題とする。
【課題を解決するための手段】
【０００９】
上記課題を達成するために、この発明は、スクリーン上縁の吊るす位置をその縁方向に沿って前後ジグザグ状にしたのである。
前後ジグザグ状に吊れば、その下のスクリーン全体も上縁のジグザグ状に伴って波打ち状態となって従来にない態様となる。
【００１０】
具体的には、スクリーン設置位置における上側部に取り付けたガイドレールと、そのガイドレールに吊下げ支持されたスクリーンとを備え、前記ガイドレールは、その下面に開口してガイドレール全長に亘るガイド溝がガイドレール幅方向に複数並列して形成され、前記スクリーンの上縁にはその全長に亘り所要間隔も持ってファスナテープ片が設けられて、そのファスナテープ片はその上縁にファスナエレメントからなるライナを有し、前記スクリーンは、前記各ファスナテープ片のライナを上記複数のガイド溝にそのガイド溝を適宜に異ならせて移動自在に嵌め込まれ、ガイド溝の幅は前記ライナが抜け出ない大きさとなっている構成としたのである。
【００１１】
このスクリーン装置において、上記ライナの構成は種々のものが考えられるが、例えば、上記ファスナテープ片の上縁部に、モノフィラメントを、前記上縁部の一面から突出させて上縁部の他面側に折り返してその上縁部他面に至らせ、続いて、その他面側の上縁部の側縁方向に所要距離離した後、その離した上縁部の他面から突出させて上縁部の一面側に折り返してその上縁部一面に至らせ、続いて、その一面側の上縁部の側縁方向に所要距離離した後、その離した上縁部の一面から突出させて上縁部の他面側に折り返してその他面側の上縁部に至らす態様を前記上縁部の側縁方向全長に亘って繰り返し、前記ファスナテープ片の一方の上縁部の全長に亘りその上縁部から突出するモノフィラメントからなるファスナーの務歯状となって、そのモノフィラメントのファスナテープ片の上縁部側を縫着して形成されたものである構成を採用することができる。
【００１２】
このように、上記ライナを、モノフィラメントにより、テープ片の上縁部から突出・折り返しを繰り返したファスナーの務歯状に形成し、そのモノフィラメントのファスナテープ片の上縁部側を縫着して形成したものとすれば、コイル状のモノフィラメントを送り出すことによってファスナーの務歯を連続的に形成し得るため、ライナの形成が容易となってコストダウンとなる。
【００１３】
また、モノフィラメントによって構成されるガイド部としてのライナは、ファスナテープ片の上縁部にモノフィラメントの一部が縫着によって取り付けられるため、ライナがテープ片の上縁部から剥がれ（離脱）難く、ファスナテープ片とガイド溝の安定した結合状態を維持する。
【００１４】
この構成において、上記ライナの務歯状部の縦断面が先端に向かって先細りの三角形状となっておれば、その三角形状の底辺部がガイド溝の側縁に係止する。その三角形はモノフィラメントによって構成され、その線状三角形は強度が高いことから、その三角形の底辺部による係止は安定する。
【００１５】
ここで、スクリーンは、布地であってもよく、柔軟な樹脂シートであってもよい。この布地や樹脂シートはスクリーン装置の設置部の大きさに応じて波打ち度合いを考慮して所定の大きさに裁断し、その片面の上辺部にファスナテープ片を宛がい、ステープルの打ち込みや縫着、接着、溶着などによる手段を介して固着する。
【００１６】
この発明に係るスクリーン装置をカーテン装置として使用する場合は、窓枠の上枠等をカーテンレールの取付け対象とし、また、出入口の開閉装置として使用する場合は、開口枠の上枠等をスクリーンレールの取付け対象とする。さらに、部屋の間仕切り装置としての使用に際しては、部屋の天井等をスクリ−ンレールの取付け対象とする。
【発明の効果】
【００１７】
この発明は、以上のように構成したので、安価で、波状に吊るし得るスクリーンを得ることができる。このため、スクリーン地は特殊な生地である必要もなく、専門店で買い求める必要がなく、廉価であって、生地の選択肢が広い。
【図面の簡単な説明】
【００１８】
【図１】この発明に係るスクリーン装置（カーテン装置）の一実施形態を示し、（ａ）は概略正面図、（ｂ）はスクリーンの同切断平面図
【図２】同実施形態の要部の一部省略切断正面図
【図３】同実施形態の要部一部省略下面図
【図４】同実施形態の断面図であり、（ａ）は図２のI−I線、（ｂ）は同II―II線
【図５】同実施形態の取付け態様断面図であり、（ａ）は天付け、（ｂ）は壁付け
【図６】同実施形態のライナ部分を示し、（ａ）は正面図、（ｂ）は（ａ）の切断側面図
【図７】同実施形態の壁付け金具を示し、（ａ）は切断正面図、（ｂ）は左側面図、（ｃ）は平面図
【図８】同実施形態のレールキャップを示し、（ａ）は切断正面図、（ｂ）は右側面図、（ｃ）は平面図
【図９】同実施形態の端部止め金具を示し、（ａ）は正面図、（ｂ）は左側面図、（ｃ）は平面図
【図１０】同実施形態の連結金具を示し、（ａ）は平面図、（ｂ）は切断正面図
【発明を実施するための形態】
【００１９】
この発明に係るスクリーン装置の一実施形態を図１〜図１０に示し、この実施形態は家屋の窓のカーテン装置に関するものである。このカーテン装置Ａは、図１〜図３に示すように、窓枠Ｗの上枠（上縁）Ｂ下面全長に設けたガイドレール（以下、適宜に「カーテンレール」ともいう）１０と、そのガイドレール１０に吊下げ支持されたカーテン２０とからなる。
ガイドレール１０はアルミニウムや樹脂の型抜きの型材からなり、図２〜図４に示すように、断面長方形の両端にガイド溝１１を有し、そのガイド溝１１は両側の突条１２によって形成されている。その突条１２は先端（下端）全長に亘って内側に向くフランジ１２ａを有し、その向かい合う内側の突条１２は全長に亘るフランジ１２ｂを有する。
ガイド溝１１の奥部はほぼ断面円形の凹部１３となっている。ガイド溝１１の本数として２本のものを示したが、ガイド溝１１の本数はこれに限定されず、少なくとも２本以上あればよい。
【００２０】
この実施形態においては、ガイドレール１０は、左右２本の分割レール（ガイドレール）１０ａ、１０ｂとからなり（図３参照）、その分割レール１０ａ、１０ｂの端面を衝合して連結金具１５でもって直線状に連結している（図２参照）。その連結金具１５は、図１０に示すように、アルミニウムや樹脂製の長尺片からなり、その長さ方向適宜位置にタップネジ孔１５ａが形成されている。このタップネジ孔１５ａの数はガイドレール１０が強固に連結できれば任意であって偶数が好ましく、この実施形態では４個とした。偶数としたのは、両側のガイドレール１０ａ，１０ｂを均一に締結するためである。
【００２１】
この連結金具１５をガイドレール１０のガイド溝１１間の突条１２間の凹部１４に嵌めて、ビス１６をタッピング孔１５ａにねじ込み、そのビス１６のねじ込みによって連結金具１５をフランジ１２ｂに圧接し、連結金具１５を介して左右のガイドレール１０（１０ａ，１０ｂ）を連結する（図２〜図４参照）。ガイドレール１０の連結数は２個以上と任意であり、１本でも（連結しなくても）良い。
【００２２】
カーテン２０は、布地や合成樹脂シート等のフレキシブルな薄手の矩形状のシート状物からなる。このカーテン２０の上辺部にはその長手方向所要間隔Ｔ（図１（ｂ）参照）で通常のフック２６（図５参照）が固着されている。この固着は、ステープルの打ち込みや、縫着、接着、溶着等の手段を採用することができる。そのフック２６の間隔Ｔは、カーテン２０の波打ち度合いを考慮して適宜に設定する。フック２６は、ガイドレール１０のガイド溝１１に移動自在に嵌められたスライドファスナの構成部品としてのファスナテープ片２１に金属または樹脂製の鳩目２５を介して係止される。
【００２３】
ファスナテープ片２１は、６０μｍ厚のポリエステル又はナイロンテープからなり、これら以外に、種々の樹脂テープ、合繊テープや綿テープを使用し得るが、ポリエステルテープが好ましい。
そのファスナテープ片２１には、図６に示すように、一方の側縁部２１ａにガイド溝１１内を滑走するライナ２２をその縁に沿って設けている、
【００２４】
そのライナ２２は、図６に示すように、例えば、ファスナテープ片２１の一方の側縁部２１ａに、ポリエステルからなるモノフィラメント２３を、前記側縁部２１ａの一面２１ａ１から突出させて側縁部２１ａの他面側２１ａ２に折り返してその側縁部他面２１ａ２に至らせ、続いて、その他面２１ａ２側の側縁部２１ａの側縁方向に所要距離ｔ離した後、その離した側縁部２１ａの他面２１ａ２から突出させて側縁部２１ａの一面２１ａ１側に折り返してその側縁部一面２１ａ1に至らせ、続いて、その一面２１ａ１側の側縁部２１ａの側縁方向に所要距離ｔ離した後、その離した側縁部２１ａの一面２１ａ１から突出させて側縁部２１ａの他面２１ａ２側に折り返してその他面２１ａ２側の側縁部２１ａに至らす態様を側縁部２１ａの全長に亘って繰り返し、ファスナテープ片２１の一方の側縁部２１ａの全長に亘りその側縁部２１ａから突出するモノフィラメント２３からなるファスナーの務歯状となって、そのモノフィラメント２３のファスナテープ片２１の側縁部２１ａ側を縫着２４して形成されたものである（図６（ｂ）参照）。
【００２５】
上記所要距離ｔ及び突出量（反転からの長さ）Ｌ（図６（ａ）参照）は、ライナ２２がガイド溝１１の側縁（突条のフランジ１２ａ）に係止して抜けない強度を有するように実験などによって適宜に設定する。例えば、ｔ＝１．１４ｍｍ、Ｌ：２．５３ｍｍとする。
図６（ｂ）に示すように、そのモノフィラメント２３からなるライナ２２の務歯状部２３ａの縦断面は先端に向かって先細りの三角形状となっている。なお、ファスナテープ片２１の一方の側縁部２１ａには芯紐を設けることができ、ガイド溝１１の幅ｗは前記ライナ２２が抜け出ない大きさとなっている（図４（ｂ）参照）。
【００２６】
ガイドレール１０の端は図８に示すレールキャップ１７をガイド溝１１間の突条１２間の凹部１４に嵌め、その端のフック止めは、図９に示す端止め金具１８とする。
【００２７】
この実施形態で示すスクリーン装置Ａは以上の構造からなり、そのスクリーン装置Ａを窓部のスクリーン（カーテン）装置として使用する場合は、窓部の屋内側にカーテン装置Ａを設置する。
このカーテン装置Ａの設置は、窓枠Ｗの上枠Ｂ下面をレール取付け対象とする場合、図５（ａ）に示すように、そのレール取付け対象にガイドレール１０をビス３１でもって取り付ける。壁Ｂ’をレール取付け対象とする場合、図５（ｂ）に示すように、そのレール取付け対象にＬ字状金具（ブラケット）３０をビス３１止めし、そのブラケット３０にガイドレール１０をビス３２でもって取り付ける。
【００２８】
その窓枠Ｗに取り付けられたガイドレール１０にカーテン２０を吊り下げる。その吊り下げは、各ファスナテープ片２１のライナ２２を隣り合う前後（図４において左右）のガイド溝１１、１１に交互に挿入する。このように交互にライナ２２が前後のガイド溝１１、１１に挿入されることにより、カーテン２０は、前後のガイド溝１１、１１に前後にずらして吊り下げられ、その前後のずれによって波を打ったように張設される。すなわち、通常のカーテン２０であっても波打ちカーテンとなる（図１（ｂ）参照）。
カーテン２０の開閉は、樹脂のモノフィラメント２３からなるライナ２２の務歯状部のガイド溝１１内面での摺動で行われるため、その作用が円滑である。
【００２９】
上記各ファスナテープ片２１のライナ２２の前後のガイド溝１１、１１への挿入は、一つ一つ交互でなくても、２つおきの交互（間隔）であったり、３つおきの交互であったり等と任意である。その間隔に応じてカーテン２０の波打ち態様も変化する。
【００３０】
上記実施形態は、鳩目２５、フック２６を介してファスナテープ片２１をカーテン２０に取り付けたが、ファスナテープ片２１をカーテン２０の上縁部に直接に固着することができる。このとき、ファスナテープ片２１に設けたライナ２２はスクリーン２０の上辺より上位に位置するようにすることができる。ファスナテープ片２１のカーテン２０への固着は、ステープルの打ち込みや、縫着、接着、溶着等の手段を採用することができる。
なお、上記実施形態は、スクリーン装置Ａをカーテン装置に採用した場合であったが、この発明は、家屋の出入口における開閉装置や部屋の間仕切り装置等の開閉装置として採用することができることは勿論である。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００３１】
Ａ  スクリーン装置（カーテン装置）
Ｗ  窓枠
Ｂ  窓枠の上枠
Ｂ’  壁
１０  ガイドレール（カーテンレール）
１１  ガイド溝
１２  ガイド溝を形成する対の突条
１２ａ、１２ｂ  突条のフランジ
１３  ガイド溝の凹部
１４  突条間の凹部
１５  連結金具
１６  ビス
１７  レールキャップ
１８  端部止め金具
２０  カーテン（スクリーン）
２１  ファスナテープ片
２２  ライナ（ファスナエレメント）
２３  モノフィラメント
２３ａ  務歯状部
２４  縫着
３０  ブラケット
【要約】
【課題】安価で、波状に吊るし得るスクリーンを提供する。
【解決手段】ガイドレール１０と、そのガイドレールに吊下げ支持されたカーテン２０とからなる。ガイドレール１０は、その下面に開口して全長に亘るガイド溝１１が幅方向に複数並列して形成され、カーテンの上縁には所要間隔Ｔを持ってファスナテープ片２１が取り付けられて、そのファスナテープ片２１はその上縁にモノフィラメント２３からなるライナ２２を有する。カーテン２０は、ファスナテープ片のライナ２２を前後のガイド溝１１に交互に移動自在に嵌め込む。このため、カーテン２０は、前後のガイド溝１１，１１に前後にずらして吊り下げられ、その前後のずれによって波を打ったように張設される。すなわち、通常のカーテン２０であっても波打ちカーテンとなる。ライナ２２は、ファスナテープ片２１の上縁部にモノフィラメント２３を突出させてそのモノフィラメント２３のテープ片側を縫着２４して形成している。
【選択図】図２【図１】
0006824536.tif 000002
【図２】
0006824536.tif 000003
【図３】
0006824536.tif 000004
【図４】
0006824536.tif 000005
【図５】
0006824536.tif 000006
【図６】
0006824536.tif 000007
【図７】
0006824536.tif 000008
【図８】
0006824536.tif 000009
【図９】
0006824536.tif 000010
【図１０】
0006824536.tif 000011